(57)【特許請求の範囲】
【請求項１】
合成樹脂製の雄部材の複数個を所定間隔で生地テープに成形固定した雄側生地テープと、合成樹脂製の雌部材の複数個を前記雄部材と同一間隔で生地テープに成形固定した雌側生地テープとからなり、前記雄部材の係合突起は、前記雄側生地テープから直接起立してなり、前記生地テープに取付孔を穿設することなく前記雄部材及び前記雌部材とを成形固定したテープ付きスナップにおいて、
前記雌部材は、雄部材における係合突起の外形と同等の範囲にて、表側中央部においても裏側中央部においても前記雌側生地テープを露呈させるとともに、裏側に露呈する前記雌側生地テープの周縁であって且つ同一面上に雌側ベース部を形成した構成とし、
前記雄側生地テープ及び前記雌側生地テープは、メッシュ生地としたことを特徴とするテープ付きスナップ。
【請求項２】
前記雄側生地テープと平行する面上に雄側ベース部を形成した請求項１に記載のテープ付きスナップ。
【発明の詳細な説明】
【技術分野】
【０００１】
本発明は、衣服、カバン等の開口部に用いられる合成樹脂製のテープ付きスナップに関するものである。
【背景技術】
【０００２】
従来より、出願人は、雄部材と雌部材の係合強度を損なうことなく、スナップ全体の厚みを薄くしたテープ付きスナップについて出願を行っている（例えば、特許文献１参照）。当該特許文献１に係る発明においては、主に雄部材の係合突起の高さを低くし、それにより全体の厚みを薄くしたものである。しかし、雌部材についての改良はなされておらず、薄手の衣服等にテープ付きスナップを使用する為には、更に全体の厚みを薄くしたものや軽量化したものが望まれていた。
【先行技術文献】
【特許文献】
【０００３】
【特許文献１】特許第３６０４９８３号
【発明の概要】
【発明が解決しようとする課題】
【０００４】
そこで、本発明はこのような問題点を解決するものであって、衣服、カバン等の開口部に用いられる合成樹脂製のテープ付きスナップであって、特に雄部材と雌部材の係合強度を損なうことなく、軽量化を図り、スナップ全体の厚みを薄くしたテープ付きスナップを提供することを課題とする。
【課題を解決するための手段】
【０００５】
前記問題点を解決するために、本発明の請求項１に記載の発明のテープ付きスナップは、合成樹脂製の雄部材の複数個を所定間隔で生地テープに成形固定した雄側生地テープと、合成樹脂製の雌部材の複数個を前記雄部材と同一間隔で生地テープに成形固定した雌側生地テープとからなり、前記雄部材の係合突起は、前記雄側生地テープから直接起立してなり、前記生地テープに取付孔を穿設することなく前記雄部材及び前記雌部材とを成形固定したテープ付きスナップにおいて、前記雌部材は、雄部材における係合突起の外形と同等の範囲にて、表側中央部においても裏側中央部においても前記雌側生地テープを露呈させるとともに、裏側に露呈する前記雌側生地テープの周縁であって且つ同一面上に雌側ベース部を形成した構成とし、前記雄側生地テープ及び前記雌側生地テープは、メッシュ生地としたことを特徴とするものである。
【０００６】
また、本発明の請求項２に記載の発明のテープ付きスナップは、請求項１に記載のテープ付きスナップにおいて、前記雄側生地テープと平行する面上に雄側ベース部を形成したものである。
【発明の効果】
【０００７】
本発明に記載のテープ付きスナップでは、露呈する雌側生地テープの周縁であって、当該雌側生地テープと同一面上に雌側ベース部を形成するので、雌部材の厚みを薄くし軽量化を図ることができる。これにより、スナップ全体の厚みを薄くすることができ、衣服に取り付けた際には肌触りの不快感を軽減することができる。
【図面の簡単な説明】
【０００８】
【図１】本発明の実施例におけるテープ付きスナップを係合面側から見た平面図である。
【図２】本発明の実施例におけるテープ付きスナップを構成する雌部材の（ａ）平面図、（ｂ）その中央縦拡大断面図である。
【図３】本発明の実施例におけるテープ付きスナップを構成する雄部材の（ａ）平面図、（ｂ）その中央縦拡大断面図である。
【図４】本発明の実施例におけるテープ付きスナップの雌部材と雄部材を係合させた状態の中央縦拡大断面図である。
【発明を実施するための形態】
【０００９】
以下、本発明の実施の形態におけるテープ付きスナップを図面に基づいて説明する。テープ付きスナップは、雄側生地テープの雄部材を雌側生地テープの雌部材に係合することで、衣服、カバン等の開口部を閉じる際に使用されるものである。テープ付きスナップの係合面側を雄部材、雌部材の夫々の表側とし、表側に対向する側を裏側とする。
【実施例】
【００１０】
本発明に係るテープ付きスナップ１は、図１から図４に示すように、雌側生地テープ２と雄側生地テープ４とから構成されている。雌側生地テープ２には雌部材３が成形され、雄側生地テープ４には雄部材５が成形される。
【００１１】
雌部材３は図１に示すように、雌側生地テープ２に対して複数個を所定間隔に成形して固定される。同様にして、雄部材５は、雄側生地テープ４に対して複数個を所定間隔に成形して固定される。
【００１２】
雌部材３及び雄部材５は、ポリアセタール、６６ナイロン等の熱可塑性合成樹脂を用いて、夫々の生地テープに取付孔を穿設することなく射出成形により形成される。
【００１３】
雌側生地テープ２及び雄側生地テープ４の生地テープは、溶融樹脂が成形圧力によって通過浸透する生地であることが必要である。当該生地テープは、雌部材３及び雄部材５の成形時に溶融されることがないものであればよい。織物、編物でもよく、木綿生地、混紡生地、メッシュ生地等を採用することができる。
【００１４】
図２に示すように、雌部材３は雌側ベース部３ａと膨出部３ｂとから構成される。雌側生地テープ２の表側には膨出部３ｂが形成され、裏側には雌側ベース部３ａが形成される。雌側ベース部３ａと膨出部３ｂは、例えば略同一の外形を有する円盤状に形成される。
【００１５】
膨出部３ｂの略中央部には、雄部材５を係合させる為の嵌合部３ｃが形成される。嵌合部３ｃの内周縁には、雄部材５の段部５ｄと係合する係合縁部３ｄが形成される。また、嵌合部３ｃにおける表側の周縁には、雄部材５の挿入を容易とする為のテーパ部３ｅが形成される。膨出部３ｂの嵌合部３ｃからは、雌側生地テープ２が露呈した状態となる。
【００１６】
一方、雌側ベース部３ａの略中央部においても、雌側生地テープ２が露呈した状態とされる。雌側ベース部３ａは、露呈した雌側生地テープ２の周縁であって、当該雌側生地テープ２と同一面上に形成される。雌側ベース部３ａの周縁の一部は、合成樹脂の注入口３ｆとされる。雌側生地テープ２は、露呈する箇所を裏側方向へ湾曲させた状態で配置され、他の箇所を水平方向に配置させた状態で雌部材３と固定される。
【００１７】
雌部材３の成形は、上下金型（図示しない）間に、雌側生地テープ２を配設し、嵌合部３ｃに位置する雌側生地テープ２を上下金型で挟み込み固定する。その後、注入口３ｆより合成樹脂を射出して、雌側ベース部３ａと膨出部３ｂを一体成形する。
【００１８】
このようにして露呈する箇所の生地を挟み込んで固定して成形することで、成形時に雌側生地テープ２が射出圧により歪んだり、波打ったりする虞がなくなる。これにより、雌側生地テープ２が合成樹脂面から露出して、スナップの強度を低減させることなく、外観を良好なものとすることができる。
【００１９】
図３に示すように、雄部材５は雄側ベース部５ａと係合突起５ｂとから構成される。雄側生地テープ４の表側には係合突起５ｂが形成され、裏側には雄ベース部５ａが形成される。雄側ベース部５ａと係合突起５ｂは、例えば略同一の外形を有する円盤状に形成される。
【００２０】
係合突起５ｂは、雄側生地テープ４の平面に直交して、雄側生地テープ４から直接起立して形成される。係合突起５ｂの外周縁には、雌部材３の係合縁部３ｄと係合する段部５ｄが形成される。また、係合突起５ｂにおける表側の周縁端部には、突部５ｃが形成される。係合突起５ｂの略中央部には、凹部５ｅが形成される。凹部５ｅは、成形時における雄側生地テープ４の歪みを防止する為に配置される金型の挿入跡である。
【００２１】
雄側生地テープ４は、雌側生地テープ２と異なり、湾曲箇所を有することなく水平方向に配置されて雄部材５と固定される。雄側ベース部５ａは、雄側生地テープ４と平行する面上に形成される。雄側ベース部５ａの略中央部は、合成樹脂の注入口５ｆとされる。注入口５ｆの位置は、凹部５ｅと対向する位置とされる。
【００２２】
雄部材５の成形は、雌部材３と同様にして上下金型にて成形される。その際、金型の一部を係合突起５ｂの凹部５ｅの位置に挿入し、射出成形する。これにより、雄側生地テープ４を歪ませることなく、成形することができる。その他は、雌部材３の成形と同様である。
【００２３】
このようにして形成される雌部材３と雄部材５は、図４に示すようにして、係合される。詳細には、雄部材５の突部５ｃが雌部材３における嵌合部３ｃの底部側に位置した状態で、係合縁部３ｄと段部５ｄにより係合される。当該状態において、雄部材５が雌側生地テープ２と接触しないことから、摩耗による損傷をなくすことができる。
【００２４】
以上、説明した本発明に係るテープ付きスナップ１によれば、露呈する雌側生地テープ２の周縁であって、当該雌側生地テープ２と同一面上に雌側ベース部３ａを形成したので、雌部材３の厚みを薄くし軽量化を図ることができる。これにより、スナップ全体の厚みを薄くすることができ、衣服に取り付けた際には肌触りの不快感を軽減することができる。また、厚みが薄いことから、テープ付きスナップ１の衣服等への縫製も容易なものとなる。
【００２５】
更に、従来の雌部材と比較すると、裏側に露呈する雌側生地テープ２の面積を広くすることができる。すなわち、雄部材５における係合突起５ｂの外形と同等の範囲にて、雌側生地テープ２を露呈させることができる。これにより、雌部材３と雄部材５との係合強度を損なうことなく、スナップの係合解除時における音を低くすることができる。このことは、生地テープにメッシュ生地を採用した際に顕著なものとなる。
【符号の説明】
【００２６】
１      テープ付きスナップ
２      雌側生地テープ
３      雌部材
３ａ    雌側ベース部
３ｂ    膨出部
３ｃ    嵌合部
３ｄ    係合縁部
３ｅ    テーパ部
３ｆ    注入口
４      雄側生地テープ
５      雄部材
５ａ    雄側ベース部
５ｂ    係合突起
５ｃ    突部
５ｄ    段部
５ｅ    凹部
５ｆ    注入口
【図１】
0005687863.tif 000002
【図２】
0005687863.tif 000003
【図３】
0005687863.tif 000004
【図４】
0005687863.tif 000005